(57)【要約】ＳＤＨ又はＳＯＮＥＴのような同期式通信ネットワークにおいて、故障状態が既に識別され報告されたことを示すために、トラフィック信号にタグを付けることができる。後続の段階においてアラーム・タグを検査する際、該タグが、故障が既に報告されたことを示す場合には、アラームが抑制される。
2004522336.tif 000002
【特許請求の範囲】
【請求項１】
電気通信ネットワークにおいて２次的なアラームの生成を抑制する方法であって、故障検知源のトラフィック信号にアラーム・タグを挿入することによって、前記アラーム・タグが、前記故障が検知され報告されたことを前記ネットワークに知らせることを特徴とする方法。
【請求項２】
前記アラーム・タグが、前記故障が最初に検知されたトラフィック・カードにおいて挿入されることを特徴とする請求項１に記載の方法。
【請求項３】
アラームの存在について、後続のトラフィック・カードにおいて受け取った前記信号を検査し、アラームが検知された場合には、前記アラーム・タグが関係する前記故障に対応するアラームの生成を抑制する段階を更に含む請求項１又は請求項２のいずれかに記載の方法。
【請求項４】
前記ネットワークが、仮想コンテナでトラフィックを送る同期式ネットワークであり、各々のコンテナが、パス・オーバーヘッドと信号部分とを有し、前記アラーム・タグが、前記コンテナの前記パス・オーバーヘッドに挿入されることを特徴とする前記請求項のいずれかに記載の方法。
【請求項５】
前記アラーム・タグが、前記パス・オーバーヘッドのユーザ設定可能なバイトに挿入されることを特徴とする請求項４に記載の方法。
【請求項６】
前記ネットワークのトラフィックが、前記トラフィックと切り換えられた内部フレームの一部であり、前記タグが、前記内部フレームに挿入されることを特徴とする請求項１から請求項３までのいずれか１項に記載の方法。
【請求項７】
前記ネットワークのトラフィックが、パケット化されたデータとして送られ、前記タグが、ラッパーとして前記パケット内のデータの周りに挿入されることを特徴とする請求項１、請求項２、又は請求項５に記載の方法。
【請求項８】
前記タグに持続性を適用し、誤った報告を防止する段階を更に含むことを特徴とする前記請求項のいずれかに記載の方法。
【請求項９】
前記タグにより生成された前記アラームに持続性を適用する段階を更に含み、該タグに適用された持続性が、該アラームに適用された持続性より長いことを特徴とする請求項８に記載の方法。
【請求項１０】
複数のトラフィック・カードを有する電気通信ネットワークにおいて２次的なアラームの生成を抑制する装置であって、前記装置が、アラーム・タグを故障検知源のトラフィック信号に挿入するためのアラーム・タグ挿入装置を備え、前記アラーム・タグが、前記故障が検知され、報告されたことを後続のトラフィック・カードに知らせることを特徴とする装置。
【請求項１１】
前記アラーム・タグが、前記アラームが最初に検知された前記トラフィック・カードにおいて挿入されることを特徴とする請求項１０に記載の装置。
【請求項１２】
各々のトラフィック・カードにおいて、アラーム・タグの存在について受け取った信号を検査するための手段と、前記信号の検査が前記故障に対応するアラーム・タグを見つけた場合に、該故障に関係するアラーム・タグの生成を抑制するためのアラーム抑制装置とを更に備えることを特徴とする請求項１０又は請求項１１に記載の装置。
【請求項１３】
前記ネットワークが、仮想コンテナでトラフィックを送る同期式ネットワークであり、各々のコンテナが、パス・オーバーヘッドと信号部分とを有し、前記アラーム・タグ挿入装置が、前記アラーム・タグを前記パス・オーバーヘッドに挿入することを特徴とする請求項１０から請求項１２までのいずれか１項に記載の装置。
【請求項１４】
前記アラーム・タグ挿入装置が、前記受け取ったトラフィックの前記パス・オーバーヘッドからユーザ設定可能なバイトを終了させ、且つ前記トラフィックが前記トラフィック・カードを出るとき、前記アラーム・タグをその場所に挿入するための手段を含むことを特徴とする請求項１３に記載の装置。
【請求項１５】
前記ネットワークのトラフィックが、前記トラフィックと切り換えられた内部フレームの一部であり、前記アラーム・タグ挿入装置が、前記アラーム・タグを前記内部フレームに挿入することを特徴とする請求項１０から請求項１２までのいずれか１項に記載の装置。
【請求項１６】
前記ネットワーク・トラフィックが、パケット化されたデータとして送られ、前記アラーム・タグ挿入装置が、前記タグをラッパーとして前記パケット内のデータの周りに挿入することを特徴とする請求項１０から請求項１２までのいずれか１項に記載の装置。
【請求項１７】
データ部分と、前記データに関するパラメータについて説明する記述部分と、通信ネットワークを通る該データのパスとを備える、複数のトラフィック・カードを有するネットワークを介した通信のための通信信号であって、前記記述部分が、故障の検知源において挿入されたアラーム・タグを含み、前記故障が検知され、報告されたことをトラフィック・カードに知らせることを特徴とする信号。
【請求項１８】
前記信号が同期式ネットワークにおいて伝送され、仮想コンテナを含み、前記記述部分がパス・オーバーヘッドを含み、前記アラーム・タグが前記パス・オーバーヘッドの一部分を含むことを特徴とする請求項１７に記載の信号。
【請求項１９】
前記信号が同期式ネットワークにおいて伝送され、切り換えられた内部フレームを含み、前記アラーム・タグが、前記内部フレーム内に含まれることを特徴とする請求項１７に記載の信号。
【請求項２０】
前記信号がパケット化されたデータとして伝送され、前記アラーム・タグが、前記データ・パケットの周りにラッパーを含むことを特徴とする請求項１７に記載の信号。
【請求項２１】
複数のトラフィック・カードを含む電気通信ネットワークにおいて２次的なアラームの生成を抑制する方法であって、故障が検知され報告されたことを前記ネットワークに知らせアラーム・タグを、故障が最初に検知されたネットワーク素子においてトラフィック信号に挿入し、前記アラーム・タグの存在について、後続のトラフィック・カードにおいて受け取った信号を検査し、該アラーム・タグを検知したときに、該アラーム・タグが関連する前記故障に対応するアラームの生成を抑制する段階を含むことを特徴とする方法。
【請求項２２】
複数のトラフィック・カードを有する電気通信ネットワークにおいて２次的なアラームの生成を抑制する方法であって、各々のトラフィックにおいて、故障が検知され報告されたことを後続のトラフィック・カードに知らせるアラーム・タグを、故障の検知源においてトラフィック信号に挿入するためのアラーム・タグ挿入装置と、前記アラーム・タグの存在について、受け取った信号を検査するための手段と、前記信号の検査により前記故障に対応するアラーム・タグが見出された場合に該故障に関連するアラームの生成を抑制するためのアラーム抑制装置とを備えることを特徴とする装置。
【発明の詳細な説明】
【０００１】
（技術分野）
本発明は、電気通信ネットワークに関し、より具体的には、例えば、ＳＤＨ（同期デジタル・ハイアラーキ）及びＳＯＮＥＴ(光同期伝送ネットワーク技術）高速光伝送技術、並びに他の伝送システム内で用いられるような、ネットワーク素子において生成されたアラームの取り扱い、抑制に関する。
【０００２】
（背景技術）
ＳＤＨ及びＳＯＮＥＴは、例えば、電気通信搬送波のコア・ネットワークに用いられる高速伝送ネットワークである。搬送波は、連続的に伝送される様々な範囲のサービスを提供することができる。個々のデータは、多重化されてより高速になり、典型的には２．５Ｇｂｐｓ以上の速度で伝送される。データは、時分割多重化されたコンテナにおいて伝送される。送られるべきデータがないときは、アイドル・パターンが伝送される。各々のコンテナの間には、一定の遅延がある。ＳＯＮＥＴ仕様書の全詳細は、ＡＮＳＩ（米国規格協会）規格ＧＲ２５３において説明され、ＳＤＨ明細書の全詳細は、ＩＴＵ−Ｔ（国際電気通信連合）Ｇ７０９規格において説明される。
【０００３】
図１は、トラフィック・カードＡ及びトラフィック・カードＢとして示される、一対のトラフィック・カード１０、１２を含む典型的な周知のネットワーク素子を示す。これらのカードは、トラフィック・インターフェースによってトラフィック・カードに接続されたスイッチ１４を介して、データをお互いの間に伝える。カード及びスイッチの双方は、制御インターフェースを介してコントローラ・カード１６に接続され、該コントローラ・カードは、遠隔の管理システムと通信する。示されるネットワーク素子の例は、英国コベントリのマルコーニ・コミュニケーションズ・リミッテッド社によって商標ＳＭＡ−１シリーズ３、ＳＭＡ−４シリーズ３、及びＭＳＨ１１ｃのもとで販売されているアッド・ドロップ式多重化装置を含む多くの商業的に入手可能な製品に見出すことができる。
トラフィック・カードは、該トラフィック・カード、及びトラフィックの流れも監視して、故障状態を判断し報告する。そのような故障状態は、制御インターフェースによってコントローラ・カードへ信号で送られ、そこで処理され、遠隔の管理システムへ送られる。
【０００４】
特にトラフィックに関する単一の故障の発生が、多くのカードにアラームを生じさせることがある。これらのアラームの一部は、他のカードが直接原因した結果生じたものである。再び図１を参照すると、トラフィック・カードＡに達するネットワーク・トラフィックは、スイッチ１４に伝えられ、ネットワーク・カードＢを通り、ネットワークへ送り出される。カードＡへのトラフィック源が故障した場合には、そのカードが故障を検知し、アラーム信号を生成する。故障が、カードＡに達するトラフィックの故障であり、その故障が既にカードＡによって検知され報告された場合でも、トラフィック・カードＢは、その故障を検知し、アラーム信号を生成する。従って、単一の故障により、１つ以上のアラームが生成されることがあり、該アラームの一部は、その故障によって直接には影響されないカードによって生成されるものである。このことにより、コントローラ、更に管理システムに不必要なアラーム信号が送られることになる。これは、管理システムへの通信インターフェースに付加的な負荷を加え、該管理システムに付加的なアラーム処理要求を課し、故障の発見に付加的な複雑さを加えるので、望ましいものではない。
【０００５】
不必要なアラームの数を減少させる周知の方法は、アラームの間接抑制を用いる。低レベルのアラームが高レベルのアラームの結果となるように、アラームの階層ツリーを用いる。カードが、前方への伝送のためにアラームを処理する際、関連した高レベルのアラームが存在する状態では、如何なる低レベルのアラームも抑制される。抑制は、抑制ツリーに含まれる関係によって命令される。
このような構成は、単一のカードについてはうまく機能する。しかしながら、機能が、例えば図１の２つのカードＡ及びＢのような複数のカードにわたって広がる場合には、カードが、互いに排他的な抑制ツリーを有する単一のエンティティとして働く。従って、カードは、そのカード内に含まれるアラームを抑制することだけしかできない。
【０００６】
アラームの抑制への代替的な手法は、多数のカードにわたるアラームと相互に関連し、このレベルでアラームを抑制する。これは、全てのアラームが制御機能及び／又は管理システムによって照合される際に可能となる。この相関が、各々のネットワーク素子に局所的であるコントローラ・カードにおいて行われ、多数のアラームが通信ネットワークにわたって送られることを防止することが好ましい。この解法は、プロセッサを多用するという不利な点を有するものである。
従って、少なくとも部分的にこの問題を克服する、ネットワーク素子におけるアラーム状態を取り扱うための改善された方法及び装置への必要性がある。
【０００７】
（発明の開示）
最も広い形態において、本発明は、最初に検知された際にアラーム・タグを該信号に挿入する。このタグは、ネットワークを通して送られ、検知されたときにアラームを抑制させる。従って、アラームは、最初の故障検知のときに生成されるだけであり、２次的なアラームは抑制される。
より具体的には、電気通信ネットワークにおいて２次的なアラームの生成を抑制するための方法が提供さ、該方法は、故障が検知され報告されたことをネットワークに知らせるアラーム・タグを、故障検知源でトラフィック信号に挿入する段階を含む。
【０００８】
本発明はまた、複数のネットワーク素子を有する電気通信ネットワークにおける２次的なアラームの生成を抑制するための装置も提供し、該装置は、故障が検知され報告されたことをネットワークに知らせるアラーム・タグを、故障検知源でトラフィック信号に挿入するためのアラーム・タグ挿入装置を含む。
本発明は、複数のネットワーク素子を有するネットワークを通して通信するための通信信号を更に提供し、該信号は、データ部分と、該データに関するパラメータについて説明する記述部分と、通信ネットワークを通る該データのパスとを含み、該記述部分は、故障検知源において挿入され、該故障が検知され、報告されたことをネットワーク素子に伝えるアラーム・タグを含む。
【０００９】
本発明の実施形態は、第１のアラームに続くネットワーク・カードにおいて生成された２次的なアラームが抑制されるという利点を有する。このことは、生成されるアラームの数を大きく減少させ、よって必要とされる処理を減少させることができる。更に、所定の故障に対して単一のアラームだけが生成されるので、その故障源を追跡し特定することがより容易になる。
本発明の実施形態は、１つ以上のネットワーク素子、又はネットワーク素子内の１つ以上のカードにおいて検知されたトラフィック・エラーが、１回だけ報告されるという更に別の利点を有する。
【００１０】
ネットワークが、トラフィック・カードが仮想コンテナで送られる、例えばＳＤＨ又はＳＯＮＥＴ形式のような同期形式において信号を伝送し、各々のコンテナが、パス・オーバーヘッドと信号部分とを有する場合には、アラーム・タグが該パス・オーバーヘッドに挿入されることが好ましい。
トラフィックが、該トラフィックと切り換えられた内部フレームの一部を形成する場合には、アラーム・タグが内部フレームに挿入されることが好ましい。
【００１１】
トラフィックがパケット化されたデータである場合には、アラーム・タグが、ラッパーとしてパケット内のデータの周りに挿入されることが好ましい。
誤ったアラームが生成されるのを防止するために、タグに持続性が与えられることが好ましい。
上述の好ましい実施形態の各々は、アラーム・タグがトラフィックに影響を及ぼさず、ネットワーク素子の外から見えないという利点を有する。
【００１２】
本発明の第２の態様によると、複数のトラフィック・カードを有する電気通信ネットワークにおける２次的なアラームの生成を抑制するための装置が提供され、該装置は、故障が検知され報告されたことを後続のトラフィック・カードに伝えるアラーム・タグを、故障検知源においてトラフィック信号に挿入するためのアラーム・タグ挿入装置を含む。
本発明の実施形態は、添付の図面を参照して、例としてのみ説明される。
【００１３】
（発明を実施するための最良の形態）
ここで図２及び図３を参照すると、本発明は、付加的な情報を用いて各々のトラフィック・パスにタグを付けることによって、多数のアラームを報告する問題に対処する。この情報は、処理するカードにより検知されるような、検知されたパスの状態に関するものである。このタグ付けされたパスの状態についての情報は、ネットワークを通過する際にトラフィックと共に伝えられるので、後続のカードがタグを検査することができ、その内容に基づいて、故障がネットワーク上の別のカードによって既に判断されたかどうかを判断する。既に判断されていた場合には、その故障を更に報告する必要はなく、後続のカードは、タグ付けされた情報を用いて、関連したより高レベルのアラームの結果として該カードが知り、検知するあらゆるアラームを抑制する。これらのアラームを、２次的なアラームと呼ぶことができる。この手法により、アラームが照合され、抑制されることが更に可能になるが、相関及び関連した付加的な処理要求を実行する高レベルの制御機能への必要性を取り除くことが分かる。
【００１４】
図２において、２つのトラフィック・カードが符号１１０、１１２で、スイッチが１１４で、及びコントローラ・カードが１１６で示される。遠隔の管理機能は示されず、接続は図１と同じである。
ネットワーク・カードＡ１１０が、その入力における信号の損失を検知する場合を考える。ネットワーク・カードＡは、この信号の損失をライン１１８によってコントローラに報告する。更に、ネットワーク・カードＡは、影響されたトラフィック又はトラフィック・パスにソース・タグを挿入し、システム内の他のカードに故障状態が存在することを伝える。これは、送られるべきデータが存在するかどうかに関わらず、コンテナが一定の間隔で送られる際に、ＳＤＨ又はＳＯＮＥＴのような同期システムにおいて可能である。
【００１５】
カードＢ１１２において、通常アラームの発生をもたらすトラフィック故障が検知される。しかしながら、アラームを生成する前に、判断されたトラフィック故障と関連したタグが検査される。このタグが、高レベルの故障が検知され、既にアラームが生成されたことを示す場合には、該タグ自身の検知された故障の報告を抑制することができる。
【００１６】
タグがトラフィック自体に影響を与えてはならず、装置の外から見えないようにすべきであることが理解される。図３は、ＳＤＨコンテナの構造を示す。この例において、２Ｍｂｉｔ／ｓの信号データが、システムを通して送られる。オリジナルの２Ｍｂｉｔ／ｓの信号２００には、ヘッダーとしてＳＤＨパス・オーバーヘッド２１５が付加され、ＳＤＨ仮想コンテナ２１０を形成する。このヘッダーは、前述したＩＴＵ−Ｔ  Ｇ７０９規格に説明されたような、データの内容、送り先、エラー検査、データ・ラベルなどについて説明する種々の記述データを含む。ヘッダーは、ユーザ設定可能であり、ＩＴＵ−Ｔ  Ｇ７０９規格内の所定の機能を有していない、Ｖ４バイトと呼ばれる単一のバイトを含む。このバイトは、報告されたアラーム・タグを伝えるために用いられる。ＳＤＨ規格は、Ｖ４バイトが装置内で終わり、トラフィックが該装置を離れるときに再挿入されることを必要とする。受信時に所定のカードがＶ４バイトを終らせることができるので、これは、報告されたアラーム・タグを伝えるのに適している。故障を検知し報告する際に新しいバイトを挿入し、次に該新しいバイトをトラフィックに再挿入する。図３に示される例において、信号は、セクション・オーバーヘッド２２０を仮想コンテナ２１０に付加することによって終了する。
【００１７】
第２の実施の形態において、トラフィックは、装置内で伝えられる内部フレームの一部である。フレームがトラフィックと切り換えられた場合には、タグをこの内部フレーム内に挿入することができる。
図３の例において、信号ＶＣ１２は「低次」と呼ばれる小さいもので、独立型ユニットとして切り換える。従って、例えば、図１のカード１０からスイッチ１４へとスイッチに入るフレームは、これと切り換えられない。このことは、フレーム内の６３ＶＣ１２信号に至るまで意味をなさない。
【００１８】
しかしながら、大きい信号の場合には、フレームを信号と切り換えることは意味がある。ＳＤＨにおいて、１つの１４０Ｍｂｉｔ／ｓ信号を含むＶＣ４がある。信号をカード１０からスイッチ１４へ伝えるフレームは、この単一の信号と関連するだけである。このように、スイッチを横断してフレーム全体を切り換えることも可能であり、適切である。この場合、タグは、ＶＣ４信号のオーバーヘッドではなく、フレーム内に配置することができる。このことは、ＶＣ４信号において、使用する容易に使用可能なパス・オーバーヘッド・バイトがないときに重要である。この構成は、オリジナルの１４０Ｍｂｉｔ／ｓ信号３００にＳＤＨパス・オーバーヘッド３１０が加えられ、ＶＣ４仮想コンテナ３１５を形成する図４に示される。ＳＴＭ−１信号３２０は、セクション・オーバーヘッド３２５を付加することによって形成される。タグは、セクション・オーバーヘッドの使用されていないバイト内に含まれる。
【００１９】
タグの第３の実施形態は、仮想コンテナにより伝送されたデータが、ＡＴＭ又はＩＰデータのようなパケット化されたデータである場合に適している。デジタル・データが装置内にある間、該デジタルデータに付加されたラッパー内にタグを挿入することができる。例えば、ラッパーは、データパケットの初めを付加的な２バイト、終わりを単一のバイトとすることができる。これらの付加的なワードの１つ又はそれ以上がタグを含む。ラッパーと図３の例の間の差は、ラッパーが信号データの一部を形成し、パス・オーバーヘッドを形成しないという点である。信号データがパケット化され、パケットが既に記述ヘッダーを含む際、トラフィックに影響を及ぼすことなくラッパーを挿入することができる。パケット・システムが同期式でないときには、ラッパーが必要とされる。ＳＤＨ又はＳＯＮＥＴにおいて、仮想コンテナ内にラッパーを伝えることができるが、このことは必須のことではない。パケット・システムは、多数のバイトを伝える各々のパケットと非同期式である。パケットは、如何なる伝送ビット速度で伝えることもでき、その衝撃は、どのくらい速くパケットを伝え得るかによる。
【００２０】
従って、各々のリンクが異なるビット速度で２地点間を進む際、パケットを多数のリンクにわたって伝えることができる。短期間にリンクの速度に対してあまりに過剰のデータを受け取る際には、データは、一時的にバッファに格納される。
終端間パスに対する限定要因は、パスにおける最も低速のリンクである。通常のネットワークにおいて、データ速度は、ユーザの端部において最低速度であり、コア・ネットワークにおいて最速速度となり、コアに問題が起こらないように設定される。しかしながら、コアは、多くの顧客データを伝える。ネットワークによる遅延は、保証されない。ネットワークの負荷によって、様々なバッファリングが生じる。このことは、遅延の変動が重要であるパケット・システムにわたって、音声及びビデオを取り扱う際に問題を呈する。
【００２１】
データ速度が固定されていないとき、パケットにタグを付けるのに用い得るラッパーの形態で、データをパケットに付加することができ、特に、該ラッパーは、装置内で付加され、完全に取り除かれる。
パケットの最初が２バイト、最後が１バイトである上述の例が、図５に示される。オリジナルのパケット４００に、ラッパー・ヘッダー及びデータ４１０並びにラッパー・エンド４２０が付加され、ラップされたパケット４３０を形成する。最初の２バイトは、ヘッダー・バイト及びデータ・バイトを含み、最後のバイトは、エンド・バイトを含む。パケットの送信速度が変化するとき、ラップ後に用いられる内部データ速度をパケットの入力／出力速度よりもわずかに速くすることによって、ラッパーを付加することにより生じる検知可能な遅延はない。
【００２２】
述べられた実施形態の利点は、以下の例の考察から理解することができる。ＳＤＨ  ＳＴＭ−１６システムは、２．５Ｇｂｉｔ／ｓでトラフィックを受け取り、そのトラフィックを２Ｍｂｉｔ／ｓのトラフィック信号に切り換える。２．５Ｇｂｉｔ／ｓのライン・インターフェースが故障した場合には、アラーム状態が報告される。述べられた本発明の実施形態においては、支流のカードの各々における残りのアラームが抑制された状態で、システム内に単一のアラームがある。従来技術のシステムにおいては、２．５Ｇｂｉｔ／ｓのカードから単一のアラームがあり、２Ｍｂｉｔ／ｓのカードからは、１００８のアラームがあ。
【００２３】
上述の実施形態の各々において、トラフィックを保護することができる。ネットワーク素子のカードは、保護スイッチが開始される前に、一時的なトラフィックの故障、及びタグにおける一時的な表示を見出すことができる。保護スイッチ後、回復の性質が変化するので、カードは、トラフィック故障の前にタグ表示がないと考えることがある。このことにより、カードは一時的にアラームを生成する。これを防ぐために、カードは、アラームのオン時間及び／又はオフ時間、並びにタグ表示に適切な持続性を適用して誤った報告を防止し、該持続性は、保護スイッチによって生じるあらゆる変化を克服するように選択される。
【００２４】
従って、持続性は、誤ったアラームを回避するように意図される。保護されていないシステムにおいて、一旦トラフィックが失われると、しばらくの間失われることになり、アラームが関連する。しかしながら、多くのシステムは保護されている。１つのソースからのトラフィックが故障すると、代替的なソースと取り替えられる。これは、図２と同様であるが、第３のトラフィック・カードＣ１２０を含む図６に示される。このカードには、異なるパスにわたることにより、カードＡ１１０と同じトラフィックが与えられる。システムは、トラフィック・カードＢ１１２への最善のパスを選択する。１つが故障すると、他のものと取り替えられる。選択を行うために、スイッチ１１４はカードＡとカードＣとの間で選択する選択装置１２２を含む。
【００２５】
カードＢ１１２に送るためにカードＡ１１０が選択された場合を考える。カードＡのトラフィックが故障する。カードＡは、アラームを生成し、タグをオーバーヘッドに挿入し、アラームを抑制するようカードＢに通知する。スイッチは、トラフィックをカードＢへ送るためにカードＣを選択する。Ｃは常に良質のトラフィックを有していたので、Ｂについてのアラームを抑制するタグを含まない。しかしながら、良質のトラフィックがカードＢへ送られる間、ポインタを位置合わせする必要性、及びＢとの再配列のために、少しの間トラフィックを不良なものと見る。タグは効果的に一瞬のものであるため、カードＢがＢトラフィックを不良と考えて見る間は抑制を生成するタグが存在しない。従って、カードＢは、アラームを生成し、このアラームは、いかに他の内部再組織化が必要とされても、一旦トラフィック・ポインタに位置合わせされ、実行されると非常に速く消滅する。
【００２６】
このように、望ましくない束の間のアラームが生じることがある。持続性がこれを防ぐことができる。タグ状態を瞬間的なオン又はオフ状態として受け入れる代わりに、一時的なものではないことを保証するために、トラフィック・カードは、一定の時間、状態を持続させる。考察される例において、カードＢを新しいトラフィック・ソースに位置合わせする時間は、２０ｍｓであると想定される。カードが、如何なる変化も受け入れる前に５０ｍｓの持続性を有する場合には、該カードは、タグが回復した後５０ｍｓの間アラームを抑制し続ける。この時までに、カードＢは新しいトラフィック・ソースに再位置合わせし、それが良質のものであり、アラームを生成しないことを見出す。
【００２７】
持続性はタグにだけ適用するが、誤りのアラームを防ぐために、アラームに持続性を適用することも同様に望ましい。そのような場合、持続性の程度のバランスをとることが重要である。アラームがタグよりも長く持続する場合、タグがアラームの前になくなったと考えられるため、上述の問題が依然として生じるであろう。従って、要するに、タグの持続性は、アラームの持続性より長くすべきであるということでなる。
述べられた実施形態に多くの修正が可能であり、添付の特許請求の範囲により定められた本発明から逸脱することなく、当業者により多くの修正が形成されるであろう。
【図面の簡単な説明】
【００２８】
【図１】既に参照された、周知のネットワーク素子の概略図である。
【図２】本発明の一つの実施形態を示す、図１と同様の図である。
【図３】ＳＤＨ／ＳＯＮＥＴコンテナを概略的に示す。
【図４】フレームへのタグの適用を概略的に示す。
【図５】パケット化されたデータの周りのラッパーにおけるタグの適用を概略的に示す。
【図６】どのように誤ったアラームを生成し、訂正することができるかを示す図２の変形である。
【図１】
2004522336.tif 000003
【図２】
2004522336.tif 000004
【図３】
2004522336.tif 000005
【図４】
2004522336.tif 000006
【図５】
2004522336.tif 000007
【図６】
2004522336.tif 000008
【国際公開パンフレット】
2004522336.tif 000009
2004522336.tif 000010
2004522336.tif 000011
2004522336.tif 000012
2004522336.tif 000013
2004522336.tif 000014
2004522336.tif 000015
2004522336.tif 000016
2004522336.tif 000017
2004522336.tif 000018
2004522336.tif 000019
2004522336.tif 000020
2004522336.tif 000021
2004522336.tif 000022
2004522336.tif 000023
2004522336.tif 000024
2004522336.tif 000025
2004522336.tif 000026
2004522336.tif 000027
2004522336.tif 000028
2004522336.tif 000029
2004522336.tif 000030
2004522336.tif 000031
2004522336.tif 000032
2004522336.tif 000033
【国際公開パンフレット（コレクトバージョン）】
2004522336.tif 000034
【国際調査報告】
2004522336.tif 000035
2004522336.tif 000036
2004522336.tif 000037